(57)【要約】【課題】特定ポイントに到達するまでの運転操作量を運転手に直感的に分り易く伝達する走行状況アドバイスシステムを提供する。【解決手段】自車両が進行する方向の道路交通情報を取得する道路交通情報取得手段１と、少なくとも道路交通情報に基づいて自車両が進行する道路上における推奨速度を算出する推奨速度推定手段２と、推奨速度が道路上で変化する特定ポイントを抽出する特定ポイント抽出手段１４と、特定ポイントに到達する時までに自車両の速度が推奨速度となるために必要な加減速度を算出する加減速度算出手段１５と、加減速度が最も小さい特定ポイントを、自車両の運転手に対して情報を提示する特定ポイントとして選択する情報提示ポイント選択手段１６と、運転手に対して提示する情報の内容を制御し、特定ポイントの内容を当該情報の内容に含ませる情報内容制御手段１７と、当該情報の内容を運転手に対して提示する情報提示手段４とを有する。【選択図】図２
2005228137.tif 000002
【特許請求の範囲】
【請求項１】
自車両が進行する方向の道路交通情報を取得する道路交通情報取得手段と、
少なくとも前記道路交通情報に基づいて前記自車両が進行する道路上における推奨速度を算出する推奨速度推定手段と、
前記推奨速度が前記道路上で変化する特定ポイントを抽出する特定ポイント抽出手段と、
前記特定ポイントに到達する時までに前記自車両の速度が前記推奨速度となるために必要な加減速度を算出する加減速度算出手段と、
前記加減速度が最も小さい前記特定ポイントを、前記自車両の運転手に対して情報を提示する特定ポイントとして選択する情報提示ポイント選択手段と、
前記運転手に対して提示する前記情報の内容を制御し、前記特定ポイントの内容を前記情報の内容に含ませる情報内容制御手段と、
前記情報の内容を前記運転手に対して提示する情報提示手段
とを有することを特徴とする走行状況アドバイスシステム。
【請求項２】
前記情報提示手段は、前記自車両から前記特定ポイントまでの距離を数値で表示する距離数値表示部を有することを特徴とする請求項１記載の走行状況アドバイスシステム。
【請求項３】
前記情報提示手段は、前記自車両から前記特定ポイントまでの距離に応じて表示領域の面積が変化する距離面積表示部を有することを特徴とする請求項１又は２記載の走行状況アドバイスシステム。
【請求項４】
前記道路交通情報取得手段は、目的地までの経路に従って前記自車両を誘導する機能を有するナビゲーション装置を有し、
前記ナビゲーション装置が前記運転手に対して経路誘導案内を提示するが必要な地点を発見したとき、前記推奨速度推定手段は、前記地点における推奨速度を算出することを特徴とする請求項１乃至３何れか１項記載の走行状況アドバイスシステム。
【発明の詳細な説明】
【技術分野】
【０００１】
本発明は、走行状況アドバイスシステムに係り、特に、車両が安全に道路を走行する為の推奨速度を算出して運転手に対して推奨速度を提示する走行状況アドバイスシステムに関する。
【背景技術】
【０００２】
従来から、車両が安全に道路を走行することができるように、ナビゲーション装置を用いて、車両の運転者に対して様々な情報を表示する車両用表示装置が知られている（例えば、特許文献１、特許文献２等を参照）。
【０００３】
特許文献１には、カーブを円滑に走行するために、ナビゲーション装置が車両の現在位置を検出し、車両の進行方向の道路上にあるカーブを求め、当該カーブを円滑に通過することが出来る推奨速度を検索し、スピードメータ画面上に推奨速度領域などを表示する車両用表示装置が記載されている。
【０００４】
また、特許文献２には、車両の進行方向の所定範囲内の道路上に複数のカーブが在る場合、車両が最初に通過するカーブについて運転手に所定の注意／警告を発した時は、２番目以降のカーブについては注意／警告を禁止することで、適切な頻度で運転手に注意を喚起し、注意／警告の実効性を向上させることができる走行安全装置が記載されている。
【特許文献１】特開平９−２５７５０７号公報（段落0007、第６図など）
【特許文献２】特開２００２−３６７０９６号公報（段落0005など）
【発明の開示】
【発明が解決しようとする課題】
【０００５】
しかしながら、特許文献１に開示された技術では、推奨速度領域などを表示できても、推奨速度領域まで減速してからカーブに進入するために必要な加減速度を運転手に提示できないため、どのくらいの強さで減速したら良いか分かり難い等の推奨速度が変化するポイントに対する操作量が把握できない場合がある。
【０００６】
また、特許文献２に開示された技術では、最初のカーブよりも２番目以降のカーブの危険度の方が高い場合、即ち２番目以降のカーブにおける推奨速度が最初のカーブよりも遅い場合、２番目以降のカーブに対する注意／警告を発することができず、推奨速度まで減速できないまま２番目以降のカーブに進入してしまうおそれがある。例えば、緩やかな最初のカーブに連続して急な第２番目のカーブが在る場合、最初のカーブに対する注意／警告を発した時は第２番目のカーブは表示対象から除かれてしまうため、最初のカーブの推奨速度まで減速してもその後に続く第２番目のカーブの推奨速度まで更に減速して安全に走行できない場合がある。
【課題を解決するための手段】
【０００７】
本発明の特徴は、自車両が進行する方向の道路交通情報を取得する道路交通情報取得手段と、少なくとも道路交通情報に基づいて自車両が進行する道路上における推奨速度を算出する推奨速度推定手段と、推奨速度が道路上で変化する特定ポイントを抽出する特定ポイント抽出手段と、特定ポイントに到達する時までに自車両の速度が推奨速度となるために必要な加減速度を算出する加減速度算出手段と、加減速度が最も小さい特定ポイントを、自車両の運転手に対して情報を提示する特定ポイントとして選択する情報提示ポイント選択手段と、運転手に対して提示する情報の内容を制御し、特定ポイントの内容を当該情報の内容に含ませる情報内容制御手段と、当該情報の内容を運転手に対して提示する情報提示手段とを有する走行状況アドバイスシステムであることを要旨とする。
【発明の効果】
【０００８】
本発明によれば、特定ポイントに到達するまでに必要な加減速度、推奨速度及び特定ポイントの内容を運転手に対して表示することで、特定ポイントに到達するまでの運転操作量を運転手に直感的に分り易く伝達する走行状況アドバイスシステムを提供することができる。
【発明を実施するための最良の形態】
【０００９】
以下図面を参照して、本発明の実施の形態を説明する。図面の記載において同一あるいは類似部分には同一あるいは類似な符号を付している。
【００１０】
＜走行状況アドバイスシステム＞
図１に示すように、本発明の実施の形態に係わる走行状況アドバイスシステムは、自車両周辺の道路形状や交通状況に応じて自車両の運転手に適切な走行速度情報を提示するシステムであって、自車両が進行する方向の道路交通情報を取得する道路交通情報取得手段１と、少なくとも道路交通情報に基づいて自車両が進行する道路上における推奨速度を算出する推奨速度推定手段２と、推奨速度に基づいて自車両の運転手に対して提示する情報の内容を制御する情報制御手段３と、情報の内容を運転手に対して提示する情報提示手段４とを有する。道路交通情報取得手段１は、車両情報検出手段１１と、ナビゲーション装置１２と、交通流検出手段１３とを備える。
【００１１】
道路交通情報取得手段１が取得する「道路交通情報」には、自車両周辺の道路形状や交通状況が含まれる。推奨速度推定手段２は、道路交通情報の他、運転手の運転技術（ドライビングスキル）、車両性能、運転手の道路に対する精通度の少なくとも１つに基づいて自車両の進行方向の道路における推奨速度を算出する。情報制御手段３は、推奨速度推定手段２の推定結果より推奨速度の変化する特定ポイントまでに必要な加減速度と運転者の特性などに応じて予め定められた加減速度の閾値とに基づいて情報提示する内容を決定する。
【００１２】
図２は、図１の走行状況アドバイスシステムの具体的構成を示す。図１の道路交通情報取得手段１を構成する車両情報検出手段１１、ナビゲーション装置１２及び交通流検出手段１３は、車内ＬＡＮ（ローカルエリアネットワーク）２０により互いに接続されている。図１の推奨速度推定手段２及び情報制御手段３は、情報提示コントロールユニット５を形成している。情報提示コントロールユニット５は、車内ＬＡＮ２０に接続され、情報提示手段４に接続されている。
【００１３】
車両情報検出手段１１は、自車両の速度（車速）、アクセル開度、ブレーキのオン／オフ信号（ブレーキＳＷ）などの自車両に関する様々な情報を検出する。ナビゲーション装置１２は、例えばＤＶＤなどの記憶メディアを用いた地図データ又は道路形状データを格納した地図ＤＢ（データベース）２１と、ＧＰＳや自律航法を用いた自車位置測定装置としてのインフラ受信機２２と、インフラ受信機２２による自車両の現在位置の測位結果を地図データなどに記録されている道路上にマッチングさせて自車両周辺の地図データなどを取得する道路情報取得手段２３と、道路上に設置されたビーコンなどの狭い範囲への情報提供インフラやＦＭ多重放送などの広い範囲への情報提供インフラからの情報を受信するためのアンテナ及びコンバータとを備える。ナビゲーション装置１２は、自車両の現在位置及び自車両が進行する方向の道路形状や交通状況を取得し、目的地までの経路に従って自車両を誘導する機能を有する。交通流検出手段１３は、例えばレーザレーダ２４、ミリ波レーダ或いは車載カメラ２５などから成り、自車両の前後左右に位置する車両との距離や相対速度、横方向のオフセット量或いは障害物との位置関係を検出する。
【００１４】
推奨速度推定手段２は、自車両周辺の地図データ又は道路形状データ及び交通流検出手段１３を構成するセンサー群からの情報を用いて道路形状と交通流に応じた推奨速度の推定を行う。情報制御手段３は、推奨速度が道路上で変化する特定ポイントを抽出する特定ポイント抽出手段１４と、特定ポイントに到達する時までに自車両の速度が推奨速度となるために必要な加減速度を算出する加減速度算出手段１５と、加減速度が最も小さい特定ポイントを自車両の運転手に対して情報を提示する特定ポイントとして選択する情報提示ポイント選択手段１６と、運転手に対して提示する情報の内容を制御し、特定ポイントの内容を情報の内容に含ませる情報内容制御手段１７とを有する。
【００１５】
情報提示手段４は、例えばナビゲーション装置１２の地図表示などのために設けられたセンターコンソールディスプレイ１８或いはインストルメントパネル内ディスプレイ１９などから成り、情報内容制御手段１７により制御された情報の内容を運転手に対して提示する。
【００１６】
図３を参照して、図２の地図ＤＢに格納された地図データ又は道路形状データを説明する。図３は、自車両の現在位置Ｐ０から進行方向の一定距離ＬP内の地図データ又は道路形状データの一例である。一定距離ＬPは、例えば（１）式のように、見通し距離に２００ｍ加えた距離とすることができる。Ｖ[km/h]は自車速を示す。
【００１７】
ＬP = ２００＋Ｖ／3.6*7.5 [m]        ・・・（１）
図２の地図ＤＢ２１に格納された地図データ又は道路形状データは、通常、図３のようにノードＮ１、Ｎ２、Ｎ３、・・・及び補完点Ｑ1、Ｑ2、Ｑ3、・・・のポイントデータと、これら同士を結ぶリンク（線）Ｌｉのリンクデータとを備える。ここで、ノードＮ１、Ｎ２、Ｎ３、・・・には、交差点やＪＣＴなどの分岐路があるポイントの位置座標が含まれ、補完点Ｑ1、Ｑ2、Ｑ3、・・・には、道路の屈曲を描画するためのポイントの位置座標が含まれる。また、ポイントデータとリンクデータはそれぞれ属性情報を持っている。ポイントデータの属性情報には、カーブの曲率や信号又は一時停止の有無などのようにその地点のみに関わる情報が含まれ、リンクデータの属性情報には、道路幅、勾配、制限速度、道路種別、車線数などのある一定距離に渡って連続する情報が含まれる。なお、ポイントデータの属性情報にカーブの曲率が含まれない場合は、ポイントの位置座標及びポイント間のリンクＬｉの長さ、ポイント前後のリンクＬｉのなす角を用いてカーブの曲率を算出することもできる。
【００１８】
図４（ａ）及び図４（ｂ）を参照して、図２の推奨速度推定手段２が推定した推奨速度を説明する。推奨速度推定手段２は、自車両周辺の地図データ又は道路形状データと交通流に関する情報を用いて推奨速度Ｖnを推定する。図４（ａ）に示すように、自車両の現在位置Ｐ０の進行方向（走行シーン）には、ノードＮBとノードＮCとの間にカーブＬｉBがあり、ノードＮD及びノードＮEにおいて一時停止する必要がある。ノードＮFより先は、スクールゾーンＬｉFとなっている。推奨速度推定手段２は、カーブＬｉBの曲率からカーブＬｉBにおける推奨速度ＶC、スクールゾーンＬｉFにおける推奨速度ＶS、及び他のリンクＬｉC、ＬｉD、ＬｉEにおける推奨速度Ｖlを求める。なお、一時停止における推奨速度Ｖnは零である。また、カーブＬｉB区間における推奨速度ＶCは、例えば図５（ａ）に示すようなカーブの曲率半径Ｒが大きくなるにつれて推奨速度Ｖnが早くなるようなテーブルを用いて求めることが出来る。道幅が狭い区間の推奨速度Ｖnは、例えば図５（ｂ）に示すような道幅Ｗが広くなるにつれて推奨速度Ｖnが速くなるようなテーブルを用いて求めることが出来る。
【００１９】
図４（ｂ）に示すように、自車両が現在位置Ｐ０において推奨速度Ｖlにて走行している場合、推奨速度Ｖlは、ノードＮBを境にしてカーブＬｉBにおける推奨速度ＶCへ変化する。推奨速度ＶCは、ノードＮCを境にしてリンクＬｉCにおける推奨速度Ｖlへ変化する。推奨速度Ｖlは、ノード（一時停止）ＮD、ＮEにおいて一時的に零（推奨速度＝０）へ変化する。推奨速度Ｖlは、ノードＮFを境にしてスクールゾーンＬｉFにおける推奨速度ＶSへ変化する。このように、道路上で推奨速度Ｖnが変化する地点（ノード）を「特定ポイント」と呼ぶ。
【００２０】
特定ポイント抽出手段１４は、道路形状データにおける道路属性の変化やノード同士の位置関係より算出した曲率を用いて特定ポイント（ノードＮB、ＮC、ＮD、ＮE、ＮF）を抽出する。
【００２１】
例えば、推奨速度Ｖnが減速するポイントの前後一定範囲（例えば１００ｍ）内において曲率が３００Ｒ以上から１００Ｒ以下に変化していればカーブと判別し、道路幅が減少していれば道路幅縮小といったように特定ポイントを判別する。また、交通流に関する情報を用いて単独走行から追従走行への変化を予測しても良い。例えば、車間距離（Ｄ）と相対速度（Ｖｒ）より以下の（２）式を用いてＴｓ後に追従走行に遷移すると予測して、Ｔｓ後の走行地点を特定ポイントと置いても良い。
【００２２】
Ｔｓ  ＝  Ｄ／Ｖｒ    ・・・（２）
なお、特定ポイントにおいてそれぞれの推奨速度Ｖnは、標準的な加減速度αd（例えば、−２．５[m/s2]）及び加減速度αa（例えば、＋２．５[m/s2]）の傾きで変化させている。ここで、「加減速度」とは、自車両の速度が増す、即ち加速する時は正の値となり、自車両の速度が減る、即ち減速する時は負の値となる物理量である。
【００２３】
図６及び図７を参照して、図２の加減速度算出手段１５が各特定ポイントに到達する時までに自車両の速度が推奨速度となるために必要な加減速度を算出する方法、及び図２の情報提示ポイント選択手段１６が加減速度が最も小さい特定ポイントを自車両の運転手に対して情報を提示する特定ポイントとして選択する方法を説明する。
【００２４】
図６は、道路交通情報取得手段１により取得された自車両の現在位置及び現在位置から一定距離ＬP内（例えば、５００ｍ以内）の地図データ、推奨速度推定手段２により推定された当該地図データにおける推奨速度、及び特定ポイント抽出手段１４により抽出された特定ポイントを示す。自車両は現在位置Ｐ０において車速Ｖにて走行中である。自車両が進行する道路上には、先ず緩やかな右カーブＰ１が在り、その後、急な左カーブＰ２が続く。左カーブＰ２の後、Ｔ字路の交差点において一時停止Ｐ３が在る。右カーブＰ１における推奨速度はＶ１であり、左カーブＰ２における推奨速度はＶ２であり、一時停止Ｐ３における推奨速度はＶ３である。推奨速度Ｖ１、Ｖ２、Ｖ３は互いに異なるため、ノードＰ１、Ｐ２、Ｐ３は、推奨速度が道路上で変化する特定ポイントとなる。
【００２５】
図７は、自車両が現在位置Ｐ０から各特定ポイントＰ１、Ｐ２、Ｐ３に到達する時までに自車両の速度が現在の車速Ｖから推奨速度Ｖ１、Ｖ２、Ｖ３となるために必要な加減速度α１、α２、α３を示すグラフである。加減速度算出手段１５は、（３）式に従って、各特定ポイントＰ１、Ｐ２、Ｐ３について加減速度α１、α２、α３を算出する。Ｌは自車位置Ｐ０からカーブ入口までの距離を示し、Ｖnは推奨速度を示す（ｎ＝１〜３）。
【００２６】
α = (Ｖ2 - Ｖn2)／２Ｌ        ・・・（３）
推奨速度Ｖ１、Ｖ２、Ｖ３のいずれも現在の車速Ｖより小さいため、加減速度α１、α２、α３はいずれも負の値となる、即ち減速操作が必要とされる。推奨速度Ｖ１、Ｖ２は、推奨速度Ｖ３に比べて速いため、現在位置Ｐ０から最も遠い一時停止Ｐ３に対して必要な加減速度α３が加減速度α１、α２に比べて小さくなる。したがって、この場合、情報提示ポイント選択手段１６は、加減速度α３が最も小さい一時停止Ｐ３を、自車両の運転手に対して情報を提示する特定ポイント（以後、「情報提示ポイント」と呼ぶ）として選択する。
【００２７】
図８（ａ）乃至図８（ｃ）を参照して、図２の情報内容制御手段１７が運転手に対して提示する情報の内容を制御する方法、及び図２の情報提示手段４が運転手に対して情報の内容を提示する方法を説明する。
【００２８】
図８（ｃ）は、情報提示ポイントと自車両の現在位置Ｐ０との関係を示す。ここでは、情報提示ポイントとして左カーブが選択され、自車両は車速Ｖにて走行中である。なお、左カーブにおける推奨速度はＶCである。時間ｔ１においては、まだ、自車両の現在位置Ｐ０1から左カーブ入口までは十分に遠いが、時間の経過と共に、時間ｔ２、ｔ３において、徐々に自車両の現在位置Ｐ０2、Ｐ０3から左カーブ入口までは近づいていく。
【００２９】
この時、情報提示ポイントである左カーブまでに必要な加減速度は、図８（ａ）に示すように、時間ｔ１、ｔ２、ｔ３の経過と共に、小さくなっていく。即ち、現在の車速Ｖから推奨速度ＶCまで減速するには、自車両が左カーブに近づくほど、より強い減速操作が必要となる。そこで、図２の情報内容制御手段１７は、１又は２以上の加減速度の閾値αa、αb、・・・を予め設定し、これらの閾値を基準として、運転手に対する注意／警告レベルを制御する。
【００３０】
具体的には、時間ｔ１において自車両位置Ｐ０1は左カーブから十分に離れており、自車両位置Ｐ０1から必要な加減速度αも加減速度の閾値αaよりも大きい（αa＜α）場合、図８（ｂ）の＜表示１＞に示すように、アナログスピードメータ内には自車速Ｖのみを表示する。
【００３１】
時間ｔ２において自車両位置Ｐ０2から必要な加減速度は加減速度の閾値αaより小さくαbよりも大きい（αb＜α＜αa）場合、図８（ｂ）の＜表示２＞に示すように、アナログスピードメータ内には自車速Ｖと推奨速度ＶCとの差を扇形領域で表示する。このレベル（注意レベル）は、運転手に対して注意を促すレベルであるため、扇形領域を例えば黄色で表示することが望ましい。
【００３２】
時間ｔ３において自車両位置Ｐ０3から必要な加減速度は加減速度の閾値αa及び閾値αbより小さい（α＜αb＜αa）場合、図８（ｂ）の＜表示３＞に示すように、アナログスピードメータ内には自車速Ｖと推奨速度ＶCとの差を扇形領域で表示する。このレベル（警告レベル）は、運転手に対して警告を発するレベルであるため、扇形領域の表示を例えば黄色から赤色へ切替えることが望ましい。即ち、左カーブに近づくに従って運転手により強い減速操作を促す表示へと切替える。
【００３３】
なお、推奨速度に関する情報提示の形態としては、自車速Ｖと推奨速度ＶCとの差を扇形領域で表示する例に限定されることは無く、その他の形態を用いることも出来る。例えば、アナログメータ内に自車速Ｖを示す指針のほかに推奨速度ＶCを示す指針を新たに増やすことにより、先ず注意を促し、新たな指針の色、太さ、長さ、点滅速度などを段階的或いは連続的に変化させることにより注意／警告のレベルを高めていっても構わない。或いは、上記の扇形領域の大きさ（半径）を段階的或いは連続的に変化させることにより注意／警告レベルを調整しても構わないし、アナログメータ全体のバックグランド表示色を黄色から赤色に段階的或いは連続的に変化させることにより注意／警告レベルを調整しても構わない。
【００３４】
このように、図２の情報内容制御手段１７は、表示色や表示領域、点滅速度などの表示内容を制御する。そして、図２の情報提示手段４は、自車両が情報提示ポイントの走行シーンを通過したかどうかを判別し、通過した場合は上記の黄色表示または赤色表示を終了する。図８（ｃ）に示すカーブ進入の走行シーンでは、カーブ出口の通過時点、またカーブ区間内でアクセルをオンした時点をもって上記の注意／警告表示を終了しても構わない。
【００３５】
図９及び図１０を参照して、図２に示したセンターコンソールディスプレイ１８或いはインストルメントパネル内ディスプレイ１９内に配置されているアナログスピードメータの表示例を説明する。情報提示手段４としてのアナログスピードメータは、図９（ｂ）に示すように、特定ポイントの内容をアイコンとして表示するアイコン表示部２５を有する。図９（ａ）に示すように、運転手の前方の視野内に左カーブが見え、情報提示ポイント選択手段１６が情報提示ポイントとして当該左カーブを選択した場合について考える。この場合、情報内容制御手段１７は、特定ポイント（当該左カーブ）の内容を運転手に対して提示する情報の内容に含ませる。そして、図９（ｂ）に示すように、アナログスピードメータには、現在の車速Ｖと推奨速度Ｖnとの速度差が扇形領域として表示されると同時に、アイコン表示部２５に道路属性としての左カーブを示すアイコンが表示される。
【００３６】
図１０（ａ）に示すように、運転手の前方の視野内に左カーブと信号機が見え、情報提示ポイント選択手段１６が情報提示ポイントとして当該信号機を選択した場合について考える。なお、信号機の動作に関する情報は路車間通信で車両に送信される。信号機の位置に関する情報は車両地図とともに有していても、或いは通信により送信されていてもいずれでも構わない。或いは、信号機の位置と信号機の動作状況は、画像処理により車両側で検出しても構わない。この場合、情報内容制御手段１７は、特定ポイント（当該信号機）の内容を運転手に対して提示する情報の内容に含ませる。そして、図１０（ｂ）に示すように、情報提示手段４としてのアナログスピードメータには、現在の車速Ｖと推奨速度Ｖnとの速度差が扇形領域として表示されると同時に、アイコン表示部２５に道路属性としての信号機を示すアイコンが表示される。即ち、運転手に対して、左カーブではなく、信号機に対する減速操作を促す注意／警告を発する。
【００３７】
＜走行状況アドバイス方法＞
次に図１１を参照して、図１及び図２に示した走行状況アドバイスシステムを用いた走行状況アドバイス方法について説明する。図１１に示すフローチャートは、一定時間間隔（例えば１００ｍｓ）で実行され、推奨速度推定手段２の機能及び走行結果記録機能、運転傾向判別機能をナビゲーション装置１２内に持たせる場合はナビゲーション装置１２のメインプログラムから呼び出される。
【００３８】
（イ）先ずＳ０１段階において、道路交通情報取得手段１は、自車両の現在位置Ｐ０から一定距離ＬP内の道路属性を読み出す。具体的には、ナビゲーション装置１２の地図データベース２１より自車両の進行方向の一定距離ＬP内(例えば５００ｍ以内)にある地図データ及び道路形状データを読み出す。交通流検出手段１３に用いられているレーザレーダ２４や車載カメラ２５を用いて前方車両との車間距離や相対速度を取得する。また、交通流に関する情報としてナビゲーション装置１２に搭載されているＶＩＣＳ受信機より得られる渋滞情報を用いてもよい。
【００３９】
（ロ）次にＳ０２段階において、特定ポイント抽出手段１４は、図４（ａ）及び図４（ｂ）を用いて説明したように、推奨速度Ｖnが道路上で変化する特定ポイントを抽出する。そして、Ｓ０３段階において、推奨速度推定手段２は、Ｓ０１段階にて収集した地図データ等と交通流に関する情報を用いて推奨速度Ｖnを算出する。
【００４０】
（ハ）次にＳ０４〜Ｓ０６段階にて加減速度算出手段１５は、特定ポイントに到達する時までに自車両の速度が推奨速度Ｖnとなるために必要な加減速度αnを算出する。具体的には、先ずＳ０４段階において、自車両の現在速度Ｖと各特定ポイントにおける推奨速度Ｖnとの速度差Ｖn_diffを算出する。Ｓ０５段階において、自車両の現在位置Ｐ０から各特定ポイントまでの距離Ｌを算出する。Ｓ０６段階において、速度差Ｖn_diff及び距離Ｌを用いて、各特定ポイントに対する加減速度αnを算出する。
【００４１】
（ニ）次にＳ０７段階において、情報提示ポイント選択手段１６は、加減速度αnが最小とする特定ポイントを情報提示ポイントとして選択する。
【００４２】
（ホ）次にＳ０８段階において、情報内容制御手段１７は、図８（ａ）乃至図８（ｃ）を参照して説明したように、運転手に対して提示する情報の内容を制御し、運転手に対して提示する情報の内容に特定ポイントの内容を含ませる。そして、情報提示手段４は、情報の内容（推奨速度Ｖnを含む）を運転手に対して提示する。具体的には、情報内容制御手段１７は、情報提示ポイントにおける加減速度αnを図８（ａ）の閾値αa、αbと比較して注意／警告レベル（表示色、表示領域、点滅速度など）を判別し、情報提示手段４は、決定した表示色や表示領域、点滅速度などの表示内容をセンターコンソールまたはインストルメントパネル内のディスプレイ１８、１９に表示する。
【００４３】
（へ）最後に、Ｓ０９段階において、情報提示手段４は、図９及び図１０を参照して参照して説明したように、情報提示ポイント選択手段１６が選択した特定ポイントに対応したアイコンをアイコン表示部２５に表示する。
【００４４】
以上に説明したように本発明の実施の形態では、推奨速度Ｖnが変化する特定ポイントに到達するまでに必要な加減速度α及び推奨速度Ｖnを運転手に対して表示することで、特定ポイントに到達するまでの運転操作量（アクセル操作量及びブレーキ操作量）をドライバに直感的に分り易く伝達することが可能となる。
【００４５】
また、必要な加減速度α及び推奨速度Ｖnと同時に、対象とする特定ポイントの内容をアイコンで運転手に対して表示することにより、運転操作量を更に分かり易く伝達することが可能となる。
【００４６】
また、本発明の実施の形態によれば、情報提示ポイント選択手段１６が、加減速度αが最も小さい特定ポイントを、自車両の運転手に対して情報を提示する特定ポイントとして選択することにより、危険度が高い特定ポイントを優先的に表示する走行状況アドバイスシステムを提供することが出来る。したがって、運転手は、情報提示ポイント選択手段１６が選択した加減速度αが最も小さい特定ポイントにおける推奨速度Ｖnまで自車両を減速することにより、当該特定ポイントのみならず他の特定ポイントにおける推奨速度Ｖnまで十分に減速することができ、総ての特定ポイントを安全に走行することが出来る。
【００４７】
なお、実施の形態においては、自車両の現在の速度Ｖが進行方向の道路上での推奨速度Ｖnよりも大きい、即ち、加減速度αが負の値である（ブレーキ操作が必要である）場合について説明したが、本発明はこれに限定されるものではない。自車両の現在の速度Ｖが進行方向の道路上での推奨速度Ｖnよりも小さい、即ち、加減速度αが正の値である（アクセル操作が必要である）場合について適用できることは言うまでもない。
【００４８】
また、ナビゲーション装置１２内に、推奨速度推定手段２、特定ポイント抽出手段１４、及び加減速度算出手段１５と同等の機能を持たせ、情報内容制御手段１７の機能を情報提示手段４内に持たせることで、図２の情報提示コントロールユニット５をナビゲーション装置１２及び情報提示手段４に分散するように構成しても良い。
【００４９】
（第１の変形例）
図１２（ａ）乃至図１２（ｄ）を参照して、図２に示したセンターコンソールディスプレイ１８或いはインストルメントパネル内ディスプレイ１９内に配置されているアナログスピードメータの表示例を説明する。第１の変形例において、情報提示手段４としてのアナログスピードメータは、図１２（ｂ）に示すように、自車両から特定ポイントまでの距離に応じて表示領域の面積が変化する距離面積表示部２７ａと、自車両から特定ポイントまでの距離を数値で表示する距離数値表示部２６とを有する。
【００５０】
図１２（ａ）に示すように、運転手の前方の視野内に１００ｍ先及び３００ｍ先の２つの信号機が見え、情報提示ポイント選択手段１６が情報提示ポイントとして３００ｍ先の信号機を選択した場合について考える。この場合、情報内容制御手段１７は、特定ポイント（３００ｍ先の信号機）の内容を運転手に対して提示する情報の内容に含ませる。そして、図１２（ｂ）に示すように、アナログスピードメータに、現在の車速Ｖと推奨速度Ｖnとの速度差を扇形領域として表示すると同時に、距離面積表示部２７ａの表示面積を自車両から特定ポイントまでの距離に応じて変化させ、距離数値表示部２６に自車両から特定ポイントまでの距離を数値（あと３００ｍ）で表示する。即ち、運転手に対して、１００ｍ先の信号機ではなく、３００ｍ先の信号機に対する減速操作を促す注意／警告を発する。
【００５１】
図１２（ｃ）に示すように、アナログスピードメータ内に、距離面積表示部２７ａの替わりにアイコン表示部２５と、距離数値表示部２６とを配置して、対象とする特定ポイントのアイコン及び自車両から特定ポイントまでの距離を数値で表示しても構わない。
【００５２】
図１２（ｄ）に示すように、アナログスピードメータ内に、現在の車速Ｖと推奨速度Ｖnとの速度差を扇形領域として表示すると同時に、当該扇形領域の半径を自車両から特定ポイントまでの距離に応じて変化させても構わない。即ち、アナログスピードメータは、自車両から特定ポイントまでの距離に応じて表示領域（扇形領域）の面積が変化する距離面積表示部２７ｂを有していても構わない。例えば、自車両から特定ポイントまで十分に離れている場合、扇形領域の半径を小さく表示し、自車両が特定ポイントに近づくにつれて扇形領域の半径を大きく表示する。
【００５３】
次に図１３のフローチャートを参照して、第１の変形例に係わる走行状況アドバイスシステムを用いた走行状況アドバイス方法について説明する。図１３に示すフローチャートは、一定時間間隔（例えば１００ｍｓ）で実行され、推奨速度推定手段２の機能及び走行結果記録機能、運転傾向判別機能をナビゲーション装置１２内に持たせる場合はナビゲーション装置１２のメインプログラムから呼び出される。なお、図１３に示すフローチャートは、図１１に示したフローチャートのＳ０１〜Ｓ０８段階を共通にするため、詳細な説明を省略する。
【００５４】
（イ）先ずＳ０１段階において、道路交通情報取得手段１は、自車両の現在位置Ｐ０から一定距離ＬP内の道路属性を読み出す。
【００５５】
（ロ）次にＳ０２段階において、特定ポイント抽出手段１４は、図４（ａ）及び図４（ｂ）を用いて説明したように、推奨速度Ｖnが道路上で変化する特定ポイントを抽出する。そして、Ｓ０３段階において、推奨速度推定手段２は、Ｓ０１段階にて収集した地図データ等と交通流に関する情報を用いて推奨速度Ｖnを算出する。
【００５６】
（ハ）次にＳ０４段階において、加減速度算出手段１５は、自車両の現在速度Ｖと各特定ポイントにおける推奨速度Ｖnとの速度差Ｖn_diffを算出する。Ｓ０５段階において、加減速度算出手段１５は、自車両の現在位置Ｐ０から各特定ポイントまでの距離Ｌを算出する。Ｓ０６段階において、加減速度算出手段１５は、速度差Ｖn_diff及び距離Ｌを用いて、各特定ポイントに対する加減速度αnを算出する。
【００５７】
（ニ）次にＳ０７段階において、情報提示ポイント選択手段１６は、加減速度αnが最小とする特定ポイントを情報提示ポイントとして選択する。
【００５８】
（ホ）次にＳ０８段階において、情報内容制御手段１７は、図８（ａ）乃至図８（ｃ）を参照して説明したように、運転手に対して提示する情報の内容を制御し、運転手に対して提示する情報の内容に特定ポイントの内容を含ませる。そして、情報提示手段４は、情報の内容（推奨速度Ｖnを含む）を運転手に対して提示する。
【００５９】
（へ）最後に、Ｓ１９段階において、情報提示手段４は、図１２（ａ）乃至図１２（ｄ）を参照して参照して説明したように、自車両から特定ポイントまでの距離を数値或いは表示面積によって表示する。
【００６０】
第１の変形例によれば、自車両から特定ポイントまでの距離を数値或いは表示面積によって表示する為、特定ポイントに到達するまでの運転操作量（アクセル操作量及びブレーキ操作量）をドライバに直感的に分り易く伝達することが可能となる。したがって、必要な加減速度α、推奨速度Ｖn及び特定ポイントのアイコンと同時に自車両から特定ポイントまでの距離も表示することで、運転操作量を更に分かり易く伝達することが可能となる。
【００６１】
図１６及び図１７は、連続するカーブ区間に対し、カーブ形状をアイコン表示した場合の例を示す。図１６は、左カーブに続いて右カーブが連続する場合を示している。推奨速度表示の対象となるカーブは、手前の左カーブである。このように表示することにより、推奨速度表示がなされているカーブの先に、次のカーブが連続していることが表示されているため、予め速度を落としておくなどの対応を前もってとることが出来、安全運転につながる。図１７は、左カーブに続いて右急カーブが連続する場合を示している。このように表示することにより、推奨速度表示がなされているのはすぐ次の左カーブではなく、その先の右急カーブであることが直感的にわかる。したがって、連続するカーブ区間にあっても推奨速度表示対象としているカーブがひとめで分かり、安全運転につながる。
【００６２】
（第２の変形例）
図１４を参照して、図２に示したセンターコンソールディスプレイ１８或いはインストルメントパネル内ディスプレイ１９内に配置されているアナログスピードメータの表示例を説明する。第２の変形例において、情報提示手段４としてのアナログスピードメータは、図１４に示すように、ナビゲーション装置１２による経路誘導案内の結果を表示する経路誘導表示部２８と、自車両から特定ポイントまでの距離を数値で表示する距離数値表示部２６とを有する。
【００６３】
例えば、３００ｍ先にある交差点を右に曲がることの経路誘導案内を運転手に対して提示する必要が生じた場合について考える。この場合、情報内容制御手段１７は、特定ポイント（３００ｍ先の交差点）の内容を運転手に対して提示する情報の内容に含ませる。そして、図１４に示すように、アナログスピードメータに、現在の車速Ｖと推奨速度Ｖnとの速度差を扇形領域として表示すると同時に、経路誘導表示部２８には、ナビゲーション装置１２が運転手に対して経路誘導案内を提示するが必要な地点を発見したときに、当該経路誘導案内に使用されるコマ図が表示される。即ち、運転手に対して、１００ｍ先の信号機ではなく、３００ｍ先の交差点に対する減速操作を促す注意／警告を発する。
【００６４】
次に図１５のフローチャートを参照して、第２の変形例に係わる走行状況アドバイスシステムを用いた走行状況アドバイス方法について説明する。図１５に示すフローチャートは、ナビゲーション装置１２を用いて経路誘導案内を行っており、右左折案内が必要になったときに実行される。
【００６５】
（イ）先ずＳ３１段階において、道路交通情報取得手段１は、経路誘導案内の対象となる交差点の道路形状を読み出す。
【００６６】
（ロ）次にＳ３２段階において、推奨速度推定手段２は対象となる交差点を通過する適正速度（推奨速度）Ｖnを算出する。
【００６７】
（ハ）次にＳ３３段階において、加減速度算出手段１５は、自車両の現在速度Ｖと対象となる交差点における推奨速度Ｖnとの速度差Ｖn_diffを算出する。Ｓ３４段階において、加減速度算出手段１５は、自車両の現在位置Ｐ０から対象となる交差点までの距離Ｌを算出する。Ｓ３５段階において、加減速度算出手段１５は、速度差Ｖn_diff及び距離Ｌを用いて、対象となる交差点に対する加減速度αnを算出する。
【００６８】
（ニ）次にＳ３６段階において、情報内容制御手段１７は、運転手に対して提示する情報の内容に経路誘導案内の対象となる交差点の内容を含ませる。そして、情報提示手段４は、図１４を参照して参照して説明したように、現在の車速Ｖと推奨速度Ｖnとの速度差を扇形領域として表示すると同時に、自車両から交差点までの距離及び当該交差点の案内図を表示する。
【００６９】
第２の変形例によれば、自車両から経路誘導案内の対象となる特定ポイントの案内図（コマ図）及び当該特定ポイントまでの距離を数値によって表示する為、当該特定ポイントに到達するまでの運転操作量（アクセル操作量及びブレーキ操作量）をドライバに直感的に分り易く伝達することが可能となる。したがって、必要な加減速度α及び推奨速度Ｖnと同時に当該特定ポイントの案内図も表示することで、運転操作量を更に分かり易く伝達することが可能となる。
【００７０】
本実施例は、誘導経路上の交差点を対象に表示を行う例を説明したが、前記＜走行状況アドバイスシステム＞中の例えば、図６及び図７を用いて説明したように、本実施例に示す交差点についても特定ポイントの１つとみなし、一定距離Ｌp内において最小の加減速度が発生するポイントに対して表示を行うようにしても良い。
【００７１】
上記のように、本発明は、１つの実施の形態及びその変形例によって記載したが、この開示の一部をなす論述及び図面はこの発明を限定するものであると理解すべきではない。この開示から当業者には様々な代替実施の形態、実施例及び運用技術が明らかとなろう。即ち、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００７２】
【図１】本発明の実施の形態に係わる走行状況アドバイスシステムの概要を示すブロック図である。
【図２】図１に示した走行状況アドバイスシステムの具体的な構成を示すブロック図である。
【図３】図２の地図ＤＢに格納された地図データ又は道路形状データの一例を示す。
【図４】図４（ａ）は図２の推奨速度推定手段が推定した推奨速度の例を示す模式図であり、図４（ｂ）は図４（ａ）における推奨速度の変化の様子を示すグラフである。
【図５】図５（ａ）はカーブの曲率半径と推奨速度との関係を示すグラフであり、図５（ｂ）は道幅と推奨速度との関係を示すグラフである。
【図６】自車両の進行方向の一定距離内の道路上に複数のカーブが在る場合の特定ポイントの例を示す図である。
【図７】図６に示す各特定ポイントに到達する時までに自車両の速度が推奨速度となるために必要な加減速度を示すグラフである。
【図８】図８（ａ）は自車両の運転手に対して情報を提示する特定ポイント（情報提示ポイント）までに必要な加減速度と運転手に対する注意／警告レベルとの関係を示すグラフであり、図８（ｂ）は情報提示手段による注意／警告の表示例を示す図であり、図８（ｃ）は自車両の現在位置から情報提示ポイントまでの距離を示す図である。
【図９】図９（ａ）は、実施の形態に係わる走行シーンの一例を示す図である。図９（ｂ）は、図９（ａ）の走行シーンにおけるセンターコンソールディスプレイ或いはインストルメントパネル内ディスプレイ内に配置されているアナログスピードメータの表示例を示す。
【図１０】図１０（ａ）は、実施の形態に係わる走行シーンの他の例を示す図である。図１０（ｂ）は、図１０（ａ）の走行シーンにおけるセンターコンソールディスプレイ或いはインストルメントパネル内ディスプレイ内に配置されているアナログスピードメータの表示例を示す。
【図１１】図１及び図２に示した走行状況アドバイスシステムを用いた走行状況アドバイス方法を示すフローチャートである。
【図１２】図１２（ａ）は、第１の変形例に係わる走行シーンの一例を示す図である。図１２（ｂ）は、図１２（ａ）の走行シーンにおけるセンターコンソールディスプレイ或いはインストルメントパネル内ディスプレイ内に配置されているアナログスピードメータの表示例を示す。
【図１３】第１の変形例に係わる走行状況アドバイスシステムを用いた走行状況アドバイス方法を示すフローチャートである。
【図１４】第２の変形例に係わるセンターコンソールディスプレイ或いはインストルメントパネル内ディスプレイ内に配置されているアナログスピードメータの表示例を示す。
【図１５】第２の変形例に係わる走行状況アドバイスシステムを用いた走行状況アドバイス方法を示すフローチャートである。
【図１６】連続するカーブ区間に対してカーブ形状をアイコン表示した例であって、左カーブに続いて右カーブが連続する場合を示す模式図である。
【図１７】連続するカーブ区間に対してカーブ形状をアイコン表示した例であって、左カーブに続いて右急カーブが連続する場合を示す模式図である。
【符号の説明】
【００７３】
１…道路交通情報取得手段
２…推奨速度推定手段
３…情報制御手段
４…情報提示手段
５…情報提示コントロールユニット
１１…車両情報検出手段
１２…ナビゲーション装置
１３…交通流検出手段
１４…特定ポイント抽出手段
１５…加減速度算出手段
１６…情報提示ポイント選択手段
１７…情報内容制御手段
１８…センターコンソールディスプレイ
１９…インストルメントパネル内ディスプレイ
２０…車内ＬＡＮ
２１…地図データベース
２２…インフラ受信機
２３…道路情報取得手段
２４…レーザレーダ
２５…車載カメラ
２５…アイコン表示部
２６…距離数値表示部
２７ａ、２７ｂ…距離面積表示部
２８…経路誘導表示部
αa、αb…加減速度の閾値
α１〜α３、αn、αd…加減速度
ＬP…一定範囲
Ｌ…距離
Ｌｉ…リンク
Ｎ１、ＮB〜ＮF…ノード
Ｐ０、Ｙ、Ｙ1〜Ｙ3…自車両の現在位置
Ｐ１1〜Ｐ１n…特定ポイント
Ｑ1、Ｑ2、・・・…補完点
Ｒ…曲率半径
Ｖ１〜Ｖ３、ＶC、ＶS、Ｖn…推奨速度
Ｖn_diff…速度差
Ｖ…自車速
Ｖｂ…加減速度係数
Ｗ…道幅
ｔ１〜ｔ３…時間
【図１】
2005228137.tif 000003
【図２】
2005228137.tif 000004
【図３】
2005228137.tif 000005
【図４】
2005228137.tif 000006
【図５】
2005228137.tif 000007
【図６】
2005228137.tif 000008
【図７】
2005228137.tif 000009
【図８】
2005228137.tif 000010
【図９】
2005228137.tif 000011
【図１０】
2005228137.tif 000012
【図１１】
2005228137.tif 000013
【図１２】
2005228137.tif 000014
【図１３】
2005228137.tif 000015
【図１４】
2005228137.tif 000016
【図１５】
2005228137.tif 000017
【図１６】
2005228137.tif 000018
【図１７】
2005228137.tif 000019